(57)【要約】【課題】受動部品自体の小型化を図ると共に、該受動部品を含めたモジュールの実装エリアの縮小、並びにサイズの小型化を図る。【解決手段】受動部品１０の変換部２４は、一端にフィルタ部の出力段が容量Ｃａを介して接続された第１の線路２８と、該第１の線路２８と共に第１の結合２線路２０を構成し、かつ、一端に一方の平衡出力端子３６ａが接続された第２の線路３０と、第１の線路２８と共に第２の結合２線路２２を構成し、かつ、一端に他方の平衡出力端子３６ｂが接続された第３の線路３２とを有し、第１の線路２８の他端を容量Ｃａを介して接地する。【選択図】図１
2004320561.tif 000002
【特許請求の範囲】
【請求項１】
少なくとも非平衡−平衡変換部を具備する受動部品において、
前記非平衡−平衡変換部は、
一端に非平衡入出力が接続された第１の線路と、
前記第１の線路と共に第１の結合２線路を構成し、かつ、一端に一方の平衡入出力が接続された第２の線路と、
前記第１の線路と共に第２の結合２線路を構成し、かつ、一端に他方の平衡入出力が接続された第３の線路とを有し、
前記第１の線路の他端は容量を介して接地されていることを特徴とする受動部品。
【請求項２】
請求項１記載の受動部品において、
前記第２の線路の他端と第３の線路の他端は、共通に容量を介して接地されていることを特徴とする受動部品。
【請求項３】
請求項１記載の受動部品において、
外部電源からのＤＣ電圧が供給されるＤＣ端子を有し、
前記第２の線路の他端と第３の線路の他端は、共通に前記ＤＣ端子が接続されると共に、前記容量を介して接地されていることを特徴とする受動部品。
【請求項４】
請求項１〜３のいずれか１項に記載の受動部品において、
前記第１の線路の一端に、１以上の共振器を有する非平衡入出力方式のフィルタ部の出力段が接続されていることを特徴とする受動部品。
【請求項５】
請求項１記載の受動部品において、
複数の誘電体層が積層されて構成された誘電体基板内に、
前記第１の線路と、
前記第２の線路と、
前記第３の線路と、
１以上の内層アース電極と、
前記第１の線路と前記内層アース電極とを容量結合する容量電極とを有することを特徴とする受動部品。
【請求項６】
請求項５記載の受動部品において、
前記誘電体基板内に、
前記第２の線路と前記第３の線路とが共通に接続され、前記内層アース電極と誘電体層を挟んで対向する容量接地電極を有することを特徴とする受動部品。
【請求項７】
請求項６記載の受動部品において、
前記誘電体基板は、その表面の一部に、外部電源からのＤＣ電圧が供給されるＤＣ端子が形成され、
前記容量接地電極は、前記ＤＣ端子に接続されていることを特徴とする受動部品。
【請求項８】
請求項６又は７記載の受動部品において、
前記内層アース電極のうち、少なくとも２つの内層アース電極が前記容量接地電極の上下に配置されていることを特徴とする受動部品。
【請求項９】
請求項５記載の受動部品において、
前記誘電体基板内に、更に、
１以上の共振器を有する非平衡入出力方式のフィルタ部を構成する複数の電極と、
前記フィルタ部の出力段の電極と前記第１の線路とを容量結合する容量電極とが形成されていることを特徴とする受動部品。
【発明の詳細な説明】
【０００１】
【発明の属する技術分野】
本発明は、非平衡入出力を平衡入出力に変換する非平衡−平衡変換部を有する受動部品に関する。
【０００２】
【従来の技術】
近時、ＩＣ等の半導体部品の高集積化が進み、半導体部品自体の小型化も急速に進んでいる。これに伴い、半導体部品の周辺に使用されるフィルタ等の受動部品も小型化が進んでいる。また、受動部品の小型化には、誘電体基板を使用した積層型誘電体フィルタが有効である（例えば特許文献１及び２参照）。
【０００３】
【特許文献１】
特開２００２−２８０８０５号公報（図１、図９）
【特許文献２】
特開２００２−２６１６４３号公報（図１、段落［００２１］）
【０００４】
【発明が解決しようとする課題】
ところで、一般に、数百ＭＨｚ〜数ＧＨｚのマイクロ波帯においてフィルタ等の受動部品を使用する場合、例えば接地電位を基準電位とした非平衡方式での信号の入出力を行う受動部品を使用するようにしている。
【０００５】
従って、前記受動部品に平衡入力方式の例えばＩＣ回路などの半導体部品を接続するには、バラン（非平衡−平衡変換器）を使用しなければならず、小型化に限界が生じることになる。
【０００６】
そこで、誘電体基板内にフィルタ部と非平衡−平衡変換部とを一体的に形成する方法が考えられるが、非平衡−平衡変換部を誘電体基板内に作りこむには、１／４波長の線路と１／２波長の線路を使用することになる。この場合、１／２波長の線路の存在により、小型化には限界が生じる。
【０００７】
また、受動部品の利用形態として、受動部品に接続される半導体部品に別途ＤＣ成分を供給するタイプのものがある。
【０００８】
通常、このような使用形態では、受動部品と半導体部品との間にＤＣ成分を供給するための専用回路が必要になる。このような場合に、受動部品を通じて半導体部品にＤＣ成分を供給するようにすれば小型化が図れることになる。特に、非平衡−平衡変換部を有する受動部品であれば、ＤＣ成分に例えば受信信号成分が重畳された平衡信号が出力されることになるため、上述のような専用回路を接続する必要がなく、受動部品と半導体部品を含むモジュールの小型化を図ることができる。
【０００９】
この場合、受動部品に、ＤＣ電源からのＤＣ電圧を供給するためのＤＣ端子を具備させる必要があるが、コモンモードノイズの混入が懸念される。そこで、受動部品に別途外付けのコンデンサを接続する必要があり、受動部品と半導体部品を含めたモジュールの実装エリアの縮小化並びにサイズの小型化には限界が生じるおそれがある。
【００１０】
本発明はこのような課題を考慮してなされたものであり、受動部品自体の小型化を図ることができると共に、該受動部品を含めたモジュールの実装エリアの縮小、並びにサイズの小型化を図ることができる受動部品を提供することを目的とする。
【００１１】
【課題を解決するための手段】
本発明に係る受動部品は、少なくとも非平衡−平衡変換部を具備する受動部品において、前記非平衡−平衡変換部は、一端に非平衡入出力が接続された第１の線路と、前記第１の線路と共に第１の結合２線路を構成し、かつ、一端に一方の平衡入出力が接続された第２の線路と、前記第１の線路と共に第２の結合２線路を構成し、かつ、一端に他方の平衡入出力が接続された第３の線路とを有し、前記第１の線路の他端は容量を介して接地されていることを特徴とする。
【００１２】
通常、非平衡−平衡変換部を構成する場合、１／２波長の線路（本発明の第１の線路に対応する線路）の一端に非平衡入出力を接続し、他端を開放とする。しかし、この発明では、第１の線路の他端を容量を介して接地するようにしたので、第１の線路の線路長を短くすることができる。即ち、１／４波長以下まで短くすることができる。これにより、受動部品自体の小型化をより促進させることができる。
【００１３】
そして、前記構成において、前記第２の線路の他端と第３の線路の他端は、共通に容量を介して接地するようにしてもよい。この場合、外部電源からのＤＣ電圧が供給されるＤＣ端子を有し、前記第２の線路の他端と第３の線路の他端を共通に前記ＤＣ端子に接続すると共に、前記容量を介して接地するようにしてもよい。これにより、第２の線路の他端及び第３の線路の他端とＧＮＤ（グランド）間に接続された容量は、コモンモードノイズを抑圧する容量として機能することから、コモンモードノイズの抑圧を目的とした外付けコンデンサを接続する必要がなくなり、受動部品と、該受動部品が接続される外部回路（半導体部品等）を含めたモジュールの小型化を促進させることができる。
【００１４】
なお、前記第１の線路の一端に、１以上の共振器を有する非平衡入出力方式のフィルタ部の出力段が接続されていてもよい。
【００１５】
また、本発明は、複数の誘電体層が積層されて構成された誘電体基板内に、前記第１の線路と、前記第２の線路と、前記第３の線路と、１以上の内層アース電極と、前記第１の線路と前記内層アース電極とを容量結合する容量電極とを有するようにしてもよい。
【００１６】
これによって、誘電体基板内に非平衡−平衡変換部が形成され、小型化に有利な受動部品において、前記第１の線路の他端が容量を介して接地された構成を実現させることができ、更なる小型化を図ることができる。
【００１７】
また、前記誘電体基板内に、前記第２の線路と前記第３の線路とが共通に接続され、前記内層アース電極と誘電体層を挟んで対向する容量接地電極を有するようにしてもよい。これにより、前記第２の線路の他端と第３の線路の他端が共通に容量を介して接地された構成を実現させることができる。
【００１８】
また、前記誘電体基板は、その表面の一部に、外部電源からのＤＣ電圧が供給されるＤＣ端子が形成され、前記容量接地電極は、前記ＤＣ端子に接続されていてもよい。この場合、前記内層アース電極のうち、少なくとも２つの内層アース電極が前記容量接地電極の上下に配置されていてもよい。これにより、前記第２の線路の他端と第３の線路の他端が共通に前記ＤＣ端子に接続されると共に、前記容量を介して接地された構成を実現させることができる。
【００１９】
また、前記誘電体基板内に、更に、１以上の共振器を有する非平衡入出力方式のフィルタ部を構成する複数の電極と、前記フィルタ部の出力段の電極と前記第１の線路とを容量結合する容量電極とが形成されていてもよい。
【００２０】
これにより、誘電体基板内に、複数の共振器を有する非平衡入出力方式のフィルタ部と、非平衡−平衡変換部とが一体化されることから、受動部品の小型化を図ることができる。
【００２１】
また、一体化することで、フィルタ部と非平衡−平衡変換部間の特性インピーダンスを特定の値（例えば５０Ω）に設定する必要がなくなり、両者間の特性インピーダンスを任意に決定することができるため、それぞれの設計の自由度を増すことができる。また、両者間の特性インピーダンスを低く設定することができることから、フィルタ部を形成しやすくなり、非平衡−平衡変換部を構成するストリップラインの線幅を広げることができるため、非平衡−平衡変換部の損失も低減できるという効果がある。
【００２２】
また、フィルタ部に対して容量電極を介して非平衡−平衡変換部と接続するようにしているため、前記容量電極にて非平衡−平衡変換部の位相を変え、フィルタ部との不要な整合を抑制することができる。
【００２３】
【発明の実施の形態】
以下、本発明に係る受動部品の実施の形態例を、図１〜図３を参照しながら説明する。
【００２４】
本実施の形態に係る受動部品１０は、図１に示すように、例えば非平衡入力端子１２に接続された入力側共振器１４と該入力側共振器に結合された出力側共振器１６とを有する非平衡入出力方式のフィルタ部１８と、２つの結合２線路２０及び２２を有する非平衡−平衡変換部（以下、単に変換部と記す）２４と、変換部２４の出力段に接続されたインピーダンスマッチング回路２６とを具備する。
【００２５】
フィルタ部１８の出力段と変換部２４の入力段とは、容量Ｃａを介して接続されている。
【００２６】
変換部２４は、第１の線路２８、第２の線路３０及び第３の線路３２を有する。第１の線路２８は、一端が前記容量Ｃａを介してフィルタ部１８の出力段に接続され、他端が容量Ｃｂを介して接地されている。第２の線路３０は、一端がＤＣ端子３４（図示しない外部電源からのＤＣ電圧が供給される端子）に接続されると共に容量Ｃｃを介して接地され、他端がインピーダンスマッチング回路２６を介して一方の平衡出力端子３６ａに接続されている。第３の線路３２は、一端が前記ＤＣ端子３４に接続されると共に容量Ｃｃを介して接地され、他端がインピーダンスマッチング回路２６を介して他方の平衡出力端子３６ｂに接続されている。つまり、この変換部２４は、第１の線路２８と第２の線路３０で第１の結合２線路２０が形成され、第１の線路２８と第３の線路３２で第２の結合２線路２２が形成されている。
【００２７】
インピーダンスマッチング回路２６は、第２の線路３０の他端と一方の平衡出力端子３６ａとの間に接続された第１のインダクタンス成分Ｌ１と、第２の線路３０の他端とＧＮＤ間に接続された第１の容量成分Ｃ１と、第３の線路３２の他端と他方の平衡出力端子３６ｂとの間に接続された第２のインダクタンス成分Ｌ２と、第３の線路３２の他端とＧＮＤ間に接続された第２の容量成分Ｃ２とを有する。
【００２８】
通常、変換部２４を構成する場合、１／２波長の線路（本実施の形態の第１の線路２８に対応する線路）の一端にフィルタ部１８の出力段を接続し、他端を開放とする。しかし、この実施の形態では、第１の線路２８の他端を容量Ｃｂを介して接地するようにしたので、第１の線路２８の線路長を１／４波長以下まで短くすることができる。これにより、受動部品１０自体の小型化をより促進させることができる。
【００２９】
また、第２の線路３０の他端と第３の線路３２の他端を共通にＤＣ端子３４に接続すると共に、容量Ｃｃを介して接地するようにしたので、該容量Ｃｃは、コモンモードノイズを抑圧する容量として機能することになる。その結果、コモンモードノイズの抑圧を目的とした外付けコンデンサを接続する必要がなくなり、受動部品１０と、該受動部品１０が接続される外部回路（半導体部品等）を含めたモジュールの小型化を促進させることができる。
【００３０】
また、例えばフィルタ部１８の出力段と変換部２４の入力段とを直接接続すると、フィルタ部１８と変換部２４とが通過特性上の減衰域で不要な整合を起し、減衰域で不要なピークが形成されることとなる。
【００３１】
しかし、本実施の形態では、フィルタ部１８を容量Ｃａを介して変換部２４と接続するようにしたので、容量Ｃａにて変換部２４の位相を変え、フィルタ部１８との不要な整合を抑制することができる。
【００３２】
次に、上述した本実施の形態に係る受動部品１０を１つの誘電体基板４０に形成した具体例について図２及び図３を参照しながら説明する。
【００３３】
本具体例に係る受動部品１０は、図２に示すように、複数の誘電体層（Ｓ１〜Ｓ１４：図３参照）が積層、焼成一体化されて構成された誘電体基板４０を有する。
【００３４】
誘電体基板４０は、図３に示すように、上から順に、第１〜第１４の誘電体層Ｓ１〜Ｓ１４が積み重ねられて構成されている。これら第１〜第１４の誘電体層Ｓ１〜Ｓ１４は１枚あるいは複数枚の層にて構成される。
【００３５】
誘電体基板４０内には、フィルタ部１８と変換部２４とが形成されている。フィルタ部１８は、２つの１／４波長の共振器（入力側共振器１４及び出力側共振器１６）を有する。入力側共振器１４は、第４の誘電体層Ｓ４の主面に形成された入力側共振電極４４にて構成され、出力側共振器１６は、同じく第４の誘電体層Ｓ４の主面に形成された出力側共振電極４６にて構成される。
【００３６】
また、第３の誘電体層Ｓ３の主面には、入力側共振電極４４の開放端と対向する内層アース電極４８と、出力側共振電極４６の開放端と対向する内層アース電極５０と、入力側共振器１４と出力側共振器１６間の結合度を調整するための結合調整電極５２とが形成されている。
【００３７】
この受動部品４２は、第２の誘電体層Ｓ２、第６の誘電体層Ｓ６、第１１の誘電体層Ｓ１１、第１３の誘電体層Ｓ１３の各主面にそれぞれ内層アース電極５４、５６、５８及び６０が形成され、第１２の誘電体層Ｓ１２の主面にＤＣ電極６２が形成されている。
【００３８】
また、この受動部品４２は、図２に示すように、誘電体基板４０の外周面のうち、第１の側面４０ａに、それぞれ前記内層アース電極５４、５６、５８、６０、４８及び５０が接続されるアース電極６４が形成されている。前記第１の側面４０ａと反対側の第２の側面４０ｂには、それぞれ前記内層アース電極５４、５６、５８及び６０並びに入力側共振電極４４及び出力側共振電極４６の各一端（短絡端）が接続されるアース電極６６が形成されている。
【００３９】
誘電体基板４０の第３の側面４０ｃには、非平衡入力端子１２とＤＣ端子３４が形成されている。非平衡入力端子１２は、図３に示すように、リード電極６８を介して入力側共振電極４４に電気的に接続される。ＤＣ端子３４は、図示しない外部電源からＤＣ電圧が印加される端子であって、リード電極７０を介してＤＣ電極６２に電気的に接続されている。
【００４０】
図２に示すように、第３の側面４０ｃと反対側の第４の側面４０ｄには、平衡出力端子３６ａ及び３６ｂが形成されている。
【００４１】
一方、図３に示すように、第５の誘電体層Ｓ５の主面には出力容量電極７２が形成されている。該出力容量電極７２は、第４の誘電体層Ｓ４を間に挟んで出力側共振電極４６と重なる。
【００４２】
第７の誘電体層Ｓ７の主面には、後述する変換部２４の第１のストリップライン電極７８の端部８６をＧＮＤ（この場合、第６の誘電体層Ｓ６の主面に形成された内層アース電極５６）に対して容量結合するための容量電極７４が形成されている。この容量電極７４は、第６の誘電体層Ｓ６を貫通するビアホール７６を通じて内層アース電極５６に電気的に接続されている。
【００４３】
第８の誘電体層Ｓ８の主面には、変換部２４の第１の線路２８となる第１のストリップライン電極７８が形成され、第９の誘電体層Ｓ９の主面には、変換部２４の第２の線路３０となる第２のストリップライン電極８０と、第３の線路３２となる第３のストリップライン電極８２が形成されている。
【００４４】
第１のストリップライン電極７８は、一端８４と他端８６とが互いに隣接し、かつ、一端８４から他端８６に向けてほぼ渦巻状あるいは蛇行状に形成され、ほぼ左右対称の形状を有する。
【００４５】
第２のストリップライン電極８０は、端部８８から一方の平衡出力端子３６ａに向かって渦巻状あるいは蛇行状に形成された形状を有する。第３のストリップライン電極８２は、端部９０から他方の平衡出力端子３６ｂに向かって渦巻状あるいは蛇行状に形成された形状を有する。これら第２及び第３のストリップライン電極８０及び８２は、左右対称に配置されている。
【００４６】
また、第２のストリップライン電極８０は、その途中から一方の平衡出力端子３６ａにかけて蛇行した形状（図示の例では、ほぼＬ字状）の第１の引出し電極９２を有する。第３のストリップライン電極８２は、その途中から他方の平衡出力端子３６ｂにかけて蛇行した形状（図示の例では、ほぼＬ字状）の第２の引出し電極９４とを有する。
【００４７】
第１０の誘電体層Ｓ１０の主面のうち、第１の引出し電極９２と対向した位置に、前記一方の平衡出力端子３６ａに接続され、かつ、下層の内層アース電極５８との間で容量を形成する第１の容量電極９６が形成されている。また、第２の引出し電極９４と対向した位置に、前記他方の平衡出力端子３６ｂに接続され、かつ、内層アース電極５８との間で容量を形成する第２の容量電極９８が形成されている。
【００４８】
第１のストリップライン電極７８の一端８４は、第５〜第７の誘電体層Ｓ５〜Ｓ７を貫通するビアホール１００を通じて出力容量電極７２と電気的に接続されている。第１のストリップライン電極７８の他端８６は、上述したように、第７の誘電体層Ｓ７の主面に形成された容量電極７４を介してＧＮＤ（この場合、内層アース電極５６）に容量結合されている。内層アース電極５６には、ビアホール１００と絶縁をとるための領域、即ち電極膜が形成されていない領域が確保されている。
【００４９】
第２のストリップライン電極８０の端部８８と第３のストリップライン電極８２の端部９０は、共に第９〜第１１の誘電体層Ｓ９〜Ｓ１１を貫通するビアホール１０２及び１０４を通じてＤＣ電極６２に電気的に接続されている。内層アース電極５８には、ビアホール１０２及び１０４と絶縁をとるための領域、即ち電極膜が形成されていない領域が確保されている。
【００５０】
この具体例に係る受動部品４２は、図１の等価回路にも示すように、第７の誘電体層Ｓ７の主面に形成された容量電極７４によって、変換部２４の第１の線路２８の他端が容量Ｃｂを介して接地されることとなる。
【００５１】
また、第２及び第３のストリップライン電極８０及び８２の各端部８８及び９０がそれぞれビアホール１０２及び１０４を介してＤＣ電極６２に接続されることで、図１に示すように、変換部２４を構成する第２及び第３の線路３０及び３２の各一端がそれぞれ共通にＤＣ端子３４に接続されたものとなる。更に、ＤＣ電極６２の上下に内層アース電極５８及び６０を配置したことによって、第２及び第３の線路３０及び３２の共通の一端とＧＮＤ間に容量Ｃｃが形成されたものとなる。
【００５２】
また、結合調整電極５２によって入力側共振器１４と出力側共振器１６間に接続された結合容量Ｃｄが形成され、出力側共振電極４６と出力容量電極７２とが第４の誘電体層Ｓ４を挟んで対向することで容量Ｃａが形成されたものとなる。
【００５３】
また、変換部２４の出力段に、第１の引出し電極９２による第１のインダクタンス成分Ｌ１と、第１の容量電極９６による第１の容量成分Ｃ１と、第２の引出し電極９４による第２のインダクタンス成分Ｌ２と、第２の容量電極９８による第２の容量成分Ｃ２とを有するインピーダンスマッチング回路２６が接続された形となる。
【００５４】
上述した具体例に係る受動部品４２においては、誘電体基板４０内に、入力側共振器１４及び出力側共振器１６を有する非平衡入出力方式のフィルタ部１８と、第１〜第３のストリップライン電極７８、８０及び８２を有する変換部２４とが一体化されることから、受動部品４２の小型化を図ることができる。
【００５５】
また、一体化することで、フィルタ部１８と変換部２４間の特性インピーダンスを特定の値（例えば５０Ω）に設定する必要がなくなり、両者間の特性インピーダンスを任意に決定することができるため、それぞれの設計の自由度を増すことができる。また、両者間の特性インピーダンスを低く設定することができることから、フィルタ部１８を形成しやすくなり、変換部２４を構成する第１〜第３のストリップライン電極７８、８０及び８２の線幅を広げることができるため、変換部２４の損失も低減できるという効果がある。
【００５６】
また、出力容量電極７２を出力側共振電極４６に対して第４の誘電体層Ｓ４を間に挟んで対向させて形成するようにしたので、フィルタ部１８の出力側共振器１６と変換部２４の入力段との間に容量Ｃａを容易に形成することができる。この容量Ｃａによって、不要な整合を防止することができる。
【００５７】
また、例えば結合調整電極５２を出力容量電極７２の近傍に形成すると、浮遊結合が生じ、上述した不要な整合をなくすことができない場合がある。しかし、本具体例では、結合調整電極５２を出力容量電極７２とは離れた位置、図３の例では、入力側共振電極４４及び出力側共振電極４６が形成された第４の誘電体層Ｓ４を間に挟んだ第３の誘電体層Ｓ３に形成するようにしている。これにより、フィルタ部１８と変換部２４との不要な整合がなくなり、周波数特性が改善する。なお、非平衡入力端子１２と入力側共振電極４４との接続は、リード電極６８による直接接続（タップ結合）であってもよいし、容量を介して接続するようにしてもよい。
【００５８】
また、具体例においては、互いの電磁結合により形成される第１のストリップライン電極７８、第２のストリップライン電極８０及び第３のストリップライン電極８２を、螺旋状もしくは蛇行状に引き回した左右対称の線路としたので、位相及び振幅のバランスがとれた特性となる。その結果、減衰特性でみた場合、非平衡入出力型のフィルタよりも良質な特性を有する非平衡入力−平衡出力型のフィルタあるいは平衡入出力型のフィルタを得ることができる。
【００５９】
また、変換部２４の第２及び第３のストリップライン電極８０及び８２の各端部８８及び９０は、それぞれビアホール１０２及び１０４を通じてＤＣ電極６２に接続され、しかも、このＤＣ電極６２は、上層の内層アース電極５８及び下層の内層アース電極６０と対向して配置されている。つまり、ＤＣ端子３４とＧＮＤ間に容量Ｃｃが形成されることとなる。この容量Ｃｃは、コモンモードノイズを抑圧する容量として機能することから、コモンモードノイズの抑圧を目的とした外付けコンデンサを接続する必要がない。
【００６０】
また、ＤＣ電極６２の上下に内層アース電極５８及び６０を配置することで、外部や内部からの影響を抑圧することができ、アイソレーション特性を改善することができる。これにより、特性をより安定にすることができる。
【００６１】
また、周波数特性において、位相及び振幅のバランスを調整する場合、ＤＣ電極６２の面積を変更したり、変換部２４における第２及び第３のストリップライン電極８０及び８２の各端部８８及び９０とＤＣ電極６２とを電気的に接続するビアホール１０２及び１０４の位置を平行移動させることで調整することができる。
【００６２】
更に、この具体例では、誘電体基板４０内にインピーダンスマッチング回路２６を形成するようにしているため、本具体例に係る受動部品４２を例えば半導体部品に接続してモジュールを構成する場合に、該受動部品４２と半導体部品との間に別途インピーダンスマッチング回路を挿入接続する必要がない。
【００６３】
その結果、受動部品４２を含むモジュールの実装エリアの縮小を図ることができ、しかも、高周波技術を不要とした設計が可能となる。従って、上述のように半導体部品と接続してモジュールを構成した場合の該モジュールの小型化並びにコストの低減を有効に図ることができる。
【００６４】
上述の例では、フィルタ部１８を構成する共振器の数を２つとしたが、１つでもよいし、３つ以上であってもかまわない。
【００６５】
なお、この発明に係る受動部品は、上述の実施の形態に限らず、この発明の要旨を逸脱することなく、種々の構成を採り得ることはもちろんである。
【００６６】
【発明の効果】
以上説明したように、本発明に係る受動部品によれば、受動部品自体の小型化を図ることができると共に、該受動部品を含めたモジュールの実装エリアの縮小、並びにサイズの小型化を図ることができる。
【図面の簡単な説明】
【図１】本実施の形態に係る受動部品を示す等価回路図である。
【図２】具体例に係る受動部品を示す透視斜視図である。
【図３】具体例に係る受動部品を示す分解斜視図である。
【符号の説明】
１０…受動部品                        １２…非平衡入出力端子
１４…入力側共振器                    １６…出力側共振器
１８…フィルタ部                      ２４…変換部
２６…インピーダンスマッチング回路    ２８…第１の線路
３０…第２の線路                      ３２…第３の線路
３４…ＤＣ端子                        ３６ａ、３６ｂ…平衡出力端子
４０…誘電体基板                      ４４…入力側共振電極
４６…出力側共振電極
４８、５０、５４、５６、５８、６０…内層アース電極
６２…ＤＣ電極                        ７２…出力容量電極
７４…容量電極                        Ｃａ〜Ｃｄ…容量
【図１】
2004320561.tif 000003
【図２】
2004320561.tif 000004
【図３】
2004320561.tif 000005